(57)【要約】【課題】効率的にＨＡＲＱ−ＡＣＫを伝送することができる【解決手段】端末装置は、トランスポートブロックを含むＰＵＳＣＨを用いてＨＡＲＱ−ＡＣＫを送信し、前記ＨＡＲＱ−ＡＣＫを符号化し、前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、前記ｍａｘ関数は、入力される複数の値の中から、最も大きい値を出力する関数であり、前記ｍｉｎ関数は、入力される複数の値の中から、最も小さい値を出力する関数である。【選択図】図３
2019106562.tif 000002
【特許請求の範囲】
【請求項１】
トランスポートブロックを含むＰＵＳＣＨを用いてＨＡＲＱ−ＡＣＫを送信する送信部と、
前記ＨＡＲＱ−ＡＣＫを符号化する符号化部と、を備え、
前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、
前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、
前記ｍａｘ関数は、入力される複数の値の中から、最も大きい値を出力する関数であり、
前記ｍｉｎ関数は、入力される複数の値の中から、最も小さい値を出力する関数である
端末装置。
【請求項２】
前記Ｑ’ｍｉｎは、前記ＨＡＲＱ−ＡＣＫのビット数Ｏ、および、ＣＲＣパリティビットの数Ｌに基づき、
前記Ｑ’ｔｅｍｐは、前記ＨＡＲＱ−ＡＣＫのビット数Ｏ、前記ＣＲＣパリティビットの数Ｌ、および、前記トランスポートブロックの初期送信のための第２のＰＵＳＣＨのためのＳＣ−ＦＤＭＡシンボルの数ＮＰＵＳＣＨ−ｉｎｉｔｉａｌ（ｘ）ｓｃに、少なくとも基づく
請求項１の端末装置。
【請求項３】
トランスポートブロックを含むＰＵＳＣＨを用いてＨＡＲＱ−ＡＣＫを受信する受信部と、
前記ＨＡＲＱ−ＡＣＫを復号する復号部と、を備え、
前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、
前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、
前記ｍａｘ関数は、入力される複数の値の中から、最も大きい値を出力する関数であり、
前記ｍｉｎ関数は、入力される複数の値の中から、最も小さい値を出力する関数である
基地局装置。
【請求項４】
前記Ｑ’ｍｉｎは、前記ＨＡＲＱ−ＡＣＫのビット数、および、ＣＲＣパリティビットの数に基づき、
前記Ｑ’ｔｅｍｐは、前記ＨＡＲＱ−ＡＣＫのビット数、前記ＣＲＣパリティビットの数、および、前記トランスポートブロックの初期送信のための第２のＰＵＳＣＨのためのＳＣ−ＦＤＭＡシンボルの数に、少なくとも基づく
請求項３の基地局装置。
【請求項５】
端末装置に用いられる通信方法であって、
トランスポートブロックを含むＰＵＳＣＨを用いてＨＡＲＱ−ＡＣＫを送信し、
前記ＨＡＲＱ−ＡＣＫを符号化し、
前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力
されるｍｉｎ関数の出力であり、
前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、
前記ｍａｘ関数は、入力される複数の値の中から、最も大きい値を出力する関数であり、
前記ｍｉｎ関数は、入力される複数の値の中から、最も小さい値を出力する関数である
通信方法。
【請求項６】
前記Ｑ’ｍｉｎは、前記ＨＡＲＱ−ＡＣＫのビット数Ｏ、および、ＣＲＣパリティビットの数Ｌに基づき、
前記Ｑ’ｔｅｍｐは、前記ＨＡＲＱ−ＡＣＫのビット数Ｏ、前記ＣＲＣパリティビットの数Ｌ、および、前記トランスポートブロックの初期送信のための第２のＰＵＳＣＨのためのＳＣ−ＦＤＭＡシンボルの数ＮＰＵＳＣＨ−ｉｎｉｔｉａｌ（ｘ）ｓｃに、少なくとも基づく
請求項５の通信方法。
【請求項７】
基地局装置に用いられる通信方法であって、
トランスポートブロックを含むＰＵＳＣＨを用いてＨＡＲＱ−ＡＣＫを受信し、
前記ＨＡＲＱ−ＡＣＫを復号し、
前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、
前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、
前記ｍａｘ関数は、入力される複数の値の中から、最も大きい値を出力する関数であり、
前記ｍｉｎ関数は、入力される複数の値の中から、最も小さい値を出力する関数である
通信方法。
【請求項８】
前記Ｑ’ｍｉｎは、前記ＨＡＲＱ−ＡＣＫのビット数、および、ＣＲＣパリティビットの数に基づき、
前記Ｑ’ｔｅｍｐは、前記ＨＡＲＱ−ＡＣＫのビット数、前記ＣＲＣパリティビットの数、および、前記トランスポートブロックの初期送信のための第２のＰＵＳＣＨのためのＳＣ−ＦＤＭＡシンボルの数に、少なくとも基づく
請求項７の通信方法。
【請求項９】
端末装置に実装される集積回路であって、
トランスポートブロックを含むＰＵＳＣＨを用いてＨＡＲＱ−ＡＣＫを送信する送信回路と、
前記ＨＡＲＱ−ＡＣＫを符号化する符号化回路と、を備え、
前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、
前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、
前記ｍａｘ関数は、入力される複数の値の中から、最も大きい値を出力する関数であり、
前記ｍｉｎ関数は、入力される複数の値の中から、最も小さい値を出力する関数である
集積回路。
【請求項１０】
前記Ｑ’ｍｉｎは、前記ＨＡＲＱ−ＡＣＫのビット数Ｏ、および、ＣＲＣパリティビットの数Ｌに基づき、
前記Ｑ’ｔｅｍｐは、前記ＨＡＲＱ−ＡＣＫのビット数Ｏ、前記ＣＲＣパリティビットの数Ｌ、および、前記トランスポートブロックの初期送信のための第２のＰＵＳＣＨのためのＳＣ−ＦＤＭＡシンボルの数ＮＰＵＳＣＨ−ｉｎｉｔｉａｌ（ｘ）ｓｃに、少なくとも基づく
請求項９の集積回路。
【請求項１１】
基地局装置に実装される集積回路であって、
トランスポートブロックを含むＰＵＳＣＨを用いてＨＡＲＱ−ＡＣＫを受信する受信回路と、
前記ＨＡＲＱ−ＡＣＫを復号する復号回路と、を備え、
前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、
前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、
前記ｍａｘ関数は、入力される複数の値の中から、最も大きい値を出力する関数であり、
前記ｍｉｎ関数は、入力される複数の値の中から、最も小さい値を出力する関数である
集積回路。
【請求項１２】
前記Ｑ’ｍｉｎは、前記ＨＡＲＱ−ＡＣＫのビット数、および、ＣＲＣパリティビットの数に基づき、
前記Ｑ’ｔｅｍｐは、前記ＨＡＲＱ−ＡＣＫのビット数、前記ＣＲＣパリティビットの数、および、前記トランスポートブロックの初期送信のための第２のＰＵＳＣＨのためのＳＣ−ＦＤＭＡシンボルの数に、少なくとも基づく
請求項１１の集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。
【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。
【０００４】
ＬＴＥリリース１３において、端末装置が複数のサービングセル（コンポーネントキャリア）において同時に送信、および／または、受信を行うことが仕様化されている（非特許文献２、３、４、５）。また、ＬＴＥリリース１３において、端末装置がＰＵＳＣＨを用いてＨＡＲＱ−ＡＣＫの送信を行うことが仕様化されている（非特許文献３、４）。
【先行技術文献】
【非特許文献】
【０００５】
【非特許文献１】"New WI proposal: LTE Carrier Aggregation Enhancement Beyond 5 Carriers", RP-142286, Nokia Corporation, NTT DoCoMo Inc., Nokia Networks, 3GPP TSG RAN Meeting#66, Hawaii, United States of America, 8th - 11th December 2014.
【非特許文献２】"3GPP TS 36.211 V13.1.0 (2016-03)", 29th March, 2016.
【非特許文献３】"3GPP TS 36.212 V13.1.0 (2016-03)", 29th March, 2016.
【非特許文献４】"3GPP TS 36.213 V13.1.1 (2016-03)", 31th March, 2016.
【非特許文献５】"3GPP TS 36.300 V13.2.0 (2015-12)", 13th January, 2015.
【非特許文献６】"Definition of Q’minfor UCI on PUSCH", R1-106095, Sharp, 3GPP TSG RAN WG1 Meeting#63, Jacksonville, USA, 15th - 19th November, 2010.
【発明の概要】
【発明が解決しようとする課題】
【０００６】
本発明は、効率的にＨＡＲＱ−ＡＣＫを送信することができる端末装置、該端末装置に用いられる通信方法、該端末装置に実装される集積回路、効率的にＨＡＲＱ−ＡＣＫを受信することができる基地局装置、該基地局装置に用いられる通信方法、および、該基地局装置に実装される集積回路を提供する。
【課題を解決するための手段】
【０００７】
（１）本発明の態様は、以下のような手段を講じた。すなわち、本発明の第１の態様は、トランスポートブロックを含むＰＵＳＣＨを用いてＨＡＲＱ−ＡＣＫを送信する送信部と、前記ＨＡＲＱ−ＡＣＫを符号化する符号化部と、を備え、前記ＨＡＲＱ−ＡＣＫの符号化変調シンボルの数Ｑ’は、（ｉ）Ｑ’ｔｅｍｐおよびＱ’ｍｉｎが入力されるｍａｘ
関数の出力、および、（ｉｉ）４・ＭＰＵＳＣＨｓｃが入力されるｍｉｎ関数の出力であり、前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、前記ｍａｘ関数は、入力される複数の値の中から、最も大きい値を出力する関数であり、前記ｍｉｎ関数は、入力される複数の値の中から、最も小さい値を出力する関数である。
【０００８】
（２）本発明の第２の態様は、トランスポートブロックを含むＰＵＳＣＨを用いてＨＡＲＱ−ＡＣＫを受信する受信部と、前記ＨＡＲＱ−ＡＣＫを復号する復号部と、を備え、前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、前記ｍａｘ関数は、入力される複数の値の中から、最も大きい値を出力する関数であり、前記ｍｉｎ関数は、入力される複数の値の中から、最も小さい値を出力する関数である。
【０００９】
（３）本発明の第３の態様は、端末装置に用いられる通信方法であって、トランスポートブロックを含むＰＵＳＣＨを用いてＨＡＲＱ−ＡＣＫを送信し、前記ＨＡＲＱ−ＡＣＫを符号化し、前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、前記ｍａｘ関数は、入力される複数の値の中から、最も大きい値を出力する関数であり、前記ｍｉｎ関数は、入力される複数の値の中から、最も小さい値を出力する関数である。
【００１０】
（４）本発明の第４の態様は、基地局装置に用いられる通信方法であって、トランスポートブロックを含むＰＵＳＣＨを用いてＨＡＲＱ−ＡＣＫを受信し、前記ＨＡＲＱ−ＡＣＫを復号し、前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、前記ｍａｘ関数は、入力される複数の値の中から、最も大きい値を出力する関数であり、前記ｍｉｎ関数は、入力される複数の値の中から、最も小さい値を出力する関数である。
【００１１】
（５）本発明の第５の態様は、端末装置に実装される集積回路であって、トランスポートブロックを含むＰＵＳＣＨを用いてＨＡＲＱ−ＡＣＫを送信する送信回路と、前記ＨＡＲＱ−ＡＣＫを符号化する符号化回路と、を備え、前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、前記ｍａｘ関数は、入力される複数の値の中から、最も大きい値を出力する関数であり、前記ｍｉｎ関数は、入力される複数の値の中から、最も小さい値を出力する関数である。
【００１２】
（６）本発明の第６の態様は、基地局装置に実装される集積回路であって、トランスポートブロックを含むＰＵＳＣＨを用いてＨＡＲＱ−ＡＣＫを受信する受信回路と、前記Ｈ
ＡＲＱ−ＡＣＫを復号する復号回路と、を備え、前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、前記ｍａｘ関数は、入力される複数の値の中から、最も大きい値を出力する関数であり、前記ｍｉｎ関数は、入力される複数の値の中から、最も小さい値を出力する関数である。
【発明の効果】
【００１３】
この発明によれば、端末装置は効率的にＨＡＲＱ−ＡＣＫを送信することができる。また、基地局装置は効率的にＨＡＲＱ−ＡＣＫを受信することができる。
【図面の簡単な説明】
【００１４】
【図１】本実施形態の無線通信システムの概念図である。
【図２】本実施形態の無線フレームの概略構成を示す図である。
【図３】本発明における端末装置１の構成を示す概略ブロック図である。
【図４】本発明における基地局装置３の構成を示す概略ブロック図である。
【図５】本発明における符号化部１０７１の構成を示す概略ブロック図である。
【図６】本実施形態における符号化変調シンボルのインタリーブの方法の一例を示す図である。
【図７】本実施形態におけるＨＡＲＱ−ＡＣＫの符号化処理の決定方法の一例を示すフロー図である。
【図８】本実施形態におけるＨＡＲＱ−ＡＣＫの符号化処理の一例を示す図である。
【図９】本実施形態におけるＨＡＲＱ−ＡＣＫの符号化処理の一例を示す図である。
【図１０】本実施形態におけるベースシーケンスＭｉ，ｎの一例を示す図である。
【図１１】本実施形態におけるＱ’ｍｉｎの決定処理の決定方法の一例を示すフロー図である。
【発明を実施するための形態】
【００１５】
以下、本発明の実施形態について説明する。
【００１６】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。本実施形態の無線通信システムは、ＴＤＤ（Time Division Duplex）および／またはＦＤＤ（Frequency Division Duplex）が適用される。
【００１７】
以下、キャリアアグリゲーションについて説明する。
【００１８】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。
【００１９】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上り
リンクコンポーネントキャリアを総称して、コンポーネントキャリアと称する。
【００２０】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２１】
本実施形態の物理チャネルおよび物理信号について説明する。
【００２２】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
【００２３】
ＰＵＣＣＨは、上りリンク制御情報（Uplink Control Information: UCI）を送信するために用いられる。本実施形態において、端末装置１は、プライマリーセルのみにおいてＰＵＣＣＨの送信を行ってもよい。
【００２４】
ＰＵＳＣＨは、上りリンクデータ（Transport block, Medium Access Control Protocol Data Unit: MAC PDU, Uplink-Shared Channel: UL-SCH）を送信するために用いられる。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。本実施形態は、２つのトランスポートブロックが、ＨＡＲＱ−ＡＣＫを伝送するＰＵＳＣＨにおいて送信される場合に適用されてもよい。本実施形態は、１つのトランスポートブロックが、ＨＡＲＱ−ＡＣＫを伝送するＰＵＳＣＨにおいて送信される場合に適用されてもよい。
【００２５】
上りリンク制御情報は、下りリンクのチャネル状態情報（Channel State Information:
CSI）、ＰＵＳＣＨリソースの要求を示すスケジューリング要求（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、ＡＣＫ（acknowledgement）またはＮＡＣＫ（negative-acknowledgement）を示す。ＨＡＲＱ−ＡＣＫを、ＡＣＫ／ＮＡＣＫ、ＨＡＲＱフィードバック、ＨＡＲＱ−ＡＣＫフィードバック、ＨＡＲＱ応答、ＨＡＲＱ−ＡＣＫ応答、ＨＡＲＱ情報、ＨＡＲＱ−ＡＣＫ情報、ＨＡＲＱ制御情報、および、ＨＡＲＱ−ＡＣＫ制御情報とも称する。
【００２６】
１つのＰＵＣＣＨ、または、１つのＰＵＳＣＨを介して送信されるＨＡＲＱ−ＡＣＫビットの数がＸ１よりも大きい場合、当該ＨＡＲＱ−ＡＣＫビットに対してＬビットのＣＲＣ（Cyclic Redundancy Check）パリティビットが付加される。１つのＰＵＣＣＨ、または、１つのＰＵＳＣＨを介して送信されるＨＡＲＱ−ＡＣＫビットの数がＸ１と同じ、または、Ｘ１よりも小さい場合、当該ＨＡＲＱ−ＡＣＫビットに対してＣＲＣ（Cyclic Redundancy Check）パリティビットが付加されない。ここで、Ｘ１は２２であってもよい。ここで、Ｌは８であってもよい。当該ＣＲＣパリティビットは、当該ＨＡＲＱ−ＡＣＫビットに基づいて計算される。
【００２７】
図１において、基地局装置３から端末装置１への下りリンクの無線通信では、以下の下
りリンク物理チャネルが用いられる。下りリンク物理チャネルは、上位層から出力された情報を送信するために使用される。
・ＰＤＣＣＨ（Physical Downlink Control Channel）
・ＰＤＳＣＨ（Physical Downlink Shared Channel）
【００２８】
ＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００２９】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。
【００３０】
上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。上りリンクグラントは、ＰＵＳＣＨに対するＴＰＣコマンドを含む。
【００３１】
ＰＤＳＣＨは、下りリンクデータ（Downlink Shared Channel: DL-SCH）を送信するために用いられる。
【００３２】
ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に変調処理、および、符号化処理が行なわれる。１つのコードワードは、１つ、または、複数のレイヤにマップされる。
【００３３】
以下、本実施形態の無線フレーム（radio frame）の構成について説明する。
【００３４】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００３５】
以下、上りリンクにおけるＨＡＲＱ−ＡＣＫ送信のタイミングについて説明する。
【００３６】
端末装置１は、１つ、または、複数のサービングセルにおける、１つ、または、複数のサブフレームにおける、１つ、または、複数のＰＤＳＣＨ送信の検出に基づいて、１つの上りリンクサブフレームｎにおいてＨＡＲＱ−ＡＣＫを送信してもよい。
【００３７】
以下、本発明の端末装置１の装置構成について説明する。
【００３８】
図３は、本発明における端末装置１の構成を示す概略ブロック図である。図示するように、端末装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３を含んで構成される。受信部１０５は、復号化部１０５１、復調部１０５３、多重分離部１０５５、無線受信部１０５７とチャネル測定部１０５９を含んで構成される。送信部１０７は、符号化部１０７１、ＰＵＳＣＨ生成部１０７３、ＰＵＣＣＨ生成部１０７５、多重部１０７７、無線送信部１０７９と上りリンク参照信号生成部１０７１１を含んで構成される。
【００３９】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【００４０】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置される情報を生成し、送信部１０７に出力する。無線リソース制御部１０１１は、受信した下りリンクデータの復号に成功した場合には、ＡＣＫを生成し送信部１０７にＡＣＫを出力し、受信した下りリンクデータの復号に失敗した場合には、ＮＡＣＫを生成し、送信部１０７にＮＡＣＫを出力する。
【００４１】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンクグラントに従ってＰＵＳＣＨを送信するよう、制御部１０３を介して送信部１０７を制御する。スケジューリング部１０１３は、下りリンクグラントを受信したサブフレームにおいて、受信された下りリンクグラントに従ってＰＤＳＣＨを受信するよう、制御部１０３を介して受信部１０５を制御する。
【００４２】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００４３】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００４４】
無線受信部１０５７は、送受信アンテナ１０９を介して受信した下りリンクの信号を直交復調し、直交復調されたアナログ信号をディジタル信号に変換する。無線受信部１０５７は、ディジタル信号に対して高速フーリエ変換（Fast Fourier Transform: FFT）を行い、周波数領域の信号を抽出する。
【００４５】
多重分離部１０５５は、抽出した信号をＰＤＣＣＨ、ＰＤＳＣＨ、および下りリンク参
照信号に、それぞれ分離する。多重分離部１０５５は、分離した下りリンク参照信号をチャネル測定部１０５９に出力する。
【００４６】
復調部１０５３は、ＰＤＣＣＨ、および、ＰＤＳＣＨに対して、ＱＰＳＫ、１６ＱＡＭ（Quadrature Amplitude Modulation）、６４ＱＡＭ等の変調方式に対する復調を行ない、復号化部１０５１へ出力する。
【００４７】
復号化部１０５１は、下りリンクデータの復号を行い、復号した下りリンクデータを上位層処理部１０１へ出力する。チャネル測定部１０５９は、下りリンク参照信号から下りリンクの伝搬路の推定値を算出し、多重分離部１０５５へ出力する。
【００４８】
送信部１０７は、制御部１０３から入力された制御信号に従って、上りリンク参照信号を生成し、上位層処理部１０１から入力された上りリンクデータや上りリンク制御情報を符号化および変調し、ＰＵＣＣＨ、ＰＵＳＣＨ、および生成した上りリンク参照信号を多重し、送受信アンテナ１０９を介して基地局装置３に送信する。
【００４９】
符号化部１０７１は、上位層処理部１０１から入力された上りリンク制御情報と上りリンクデータを符号化し、符号化ビットをＰＵＳＣＨ生成部および／またはＰＵＣＣＨ生成部に出力する。
【００５０】
ＰＵＳＣＨ生成部１０７３は、符号化部１０７１から入力された符号化ビットｈiを変調して変調シンボルを生成し、変調シンボルをＤＦＴすることによってＰＵＳＣＨの信号を生成し、尚且つ、ＤＦＴされたＰＵＳＣＨの信号を多重部１０７７へ出力する。
【００５１】
ＰＵＣＣＨ生成部１０７５は、符号化ビット連結部１０７１ｆから入力された連結されたＨＡＲＱ−ＡＣＫの符号化ビットqiから、ＰＵＣＣＨの信号を生成し、生成したＰＵＣＣＨの信号を多重部１０７７へ出力する。
【００５２】
上りリンク参照信号生成部１０７１１は上りリンク参照信号を生成し、生成した上りリンク参照信号を多重部１０７７へ出力する。
【００５３】
多重部１０７５は、制御部１０３から入力された制御信号に従って、ＰＵＳＣＨ生成部から入力されたＰＵＳＣＨの信号および／またはＰＵＣＣＨ生成部から入力されたＰＵＣＣＨの信号、および／または、上りリンク参照信号生成部１０７１１から入力された上りリンク参照信号を、送信アンテナポート毎に上りリンクのリソースエレメントに多重する。
【００５４】
無線送信部１０７７は、多重された信号を逆高速フーリエ変換（Inverse Fast Fourier
Transform: IFFT）して、ＳＣ−ＦＤＭＡ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００５５】
以下、本発明の基地局装置３の装置構成について説明する。
【００５６】
図４は、本発明における基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は
、無線リソース制御部３０１１とスケジューリング部３０１３を含んで構成される。また、受信部３０５は、データ復調／復号部３０５１、制御情報復調／復号部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００５７】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００５８】
上位層処理部３０１が備える無線リソース制御部３０１１は、下りリンクのＰＤＳＣＨに配置される下りリンクデータ、ＲＲＣシグナル、ＭＡＣ  ＣＥ（Control Element）を生成し、又は上位ノードから取得し、ＨＡＲＱ制御部３０１３に出力する。また、無線リソース制御部３０１１は、移動局装置１各々の各種設定情報の管理をする。例えば、無線リソース制御部３０１１は、移動局装置１に設定したサービングセルの管理などを行なう。
【００５９】
上位層処理部３０１が備えるスケジューリング部３０１３は、移動局装置１に割り当てるＰＵＳＣＨやＰＵＣＣＨの無線リソースの管理をしている。スケジューリング部３０１３は、移動局装置１にＰＵＳＣＨの無線リソースを割り当てた場合には、ＰＵＳＣＨの無線リソースの割り当てを示す上りリンクグラントを生成し、生成した上りリンクグラントを送信部３０７へ出力する。
【００６０】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００６１】
受信部３０５は、制御部３０３から入力された制御信号に従って、送受信アンテナ３０９を介して移動局装置１から受信した受信信号を分離、復調、復号し、復号した情報を上位層処理部３０１に出力する。
【００６２】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Fast Fourier Transform: FFT）を行い、周波数領域の信号を抽出し多重分離部３０５５に出力する。
【００６３】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【００６４】
多重分離部３０５５は、分離したＰＵＣＣＨとＰＵＳＣＨの信号から、上りリンクデータの変調シンボルと上りリンク制御情報（ＨＡＲＱ−ＡＣＫ）の変調シンボルを取得する。多重分離部３０５５は、ＰＵＳＣＨの信号から取得した上りリンクデータの変調シンボ
ルをデータ復調／復号部３０５１へ出力する。多重分離部３０５５は、ＰＵＣＣＨの信号またはＰＵＳＣＨの信号から取得した上りリンク制御情報（ＨＡＲＱ−ＡＣＫ）の変調シンボルを制御情報復調／復号部３０５３へ出力する。
【００６５】
チャネル測定部３０５９は、多重分離部３０５５から入力された上りリンク参照信号から伝搬路の推定値、チャネルの品質などを測定し、多重分離部３０５５および上位層処理部３０１に出力する。
【００６６】
データ復調／復号部３０５１は、多重分離部３０５５から入力された上りリンクデータの変調シンボルから上りリンクデータを復号する。データ復調／復号部３０５１は、復号された上りリンクデータを上位層処理部３０１へ出力する。
【００６７】
制御情報復調／復号部３０５３は、多重分離部３０５５から入力されたＨＡＲＱ−ＡＣＫの変調シンボルからＨＡＲＱ−ＡＣＫを復号する。制御情報復調／復号部３０５３は、復号したＨＡＲＱ−ＡＣＫを上位層処理部３０１へ出力する。
【００６８】
送信部３０７は、制御部３０３から入力された制御信号に従って、下りリンク参照信号を生成し、上位層処理部３０１から入力された下りリンク制御情報、下りリンクデータを符号化、および変調し、ＰＤＣＣＨ、ＰＤＳＣＨ、および下りリンク参照信号を多重して、送受信アンテナ３０９を介して移動局装置１に信号を送信する。
【００６９】
符号化部３０７１は、上位層処理部３０１から入力された下りリンク制御情報、および、下りリンクデータの符号化を行なう。変調部３０７３は、符号化部３０７１から入力された符号化ビットをＢＰＳＫ、ＱＰＳＫ、１６ＱＡＭ、６４ＱＡＭ等の変調方式で変調する。
【００７０】
下りリンク参照信号生成部３０７９は下りリンク参照信号として生成する。多重部３０７５は、各チャネルの変調シンボルと下りリンク参照信号を多重する。
【００７１】
無線送信部３０７７は、多重された変調シンボルなどを逆高速フーリエ変換（Inverse Fast Fourier Transform: IFFT）して、ＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up
convert）し、余分な周波数成分を除去し、電力増幅し、送受信アンテナ３０９に出力して送信する。
【００７２】
図５は、本発明における符号化部１０７１の構成を示す概略ブロック図である。符号化部１０７１は、データ符号化部１０７１ａ、ＨＡＲＱ−ＡＣＫ連結部１０７１ｂ、ＨＡＲＱ−ＡＣＫ符号化部１０７１ｃ、および、インタリーブ部１０７１ｄを含む。
【００７３】
データ符号化部１０７１ａは、上位層１０１から入力された上りリンクデータａｉに上りリンクデータから生成されたＣＲＣパリティビットを付加し、当該ＣＲＣパリティビットが付加された上りリンクでイータに誤り訂正符号化を適用し、上りリンクデータの符号化ビットｆｉをインタリーブ部１０７１ｄへ出力する。Ａは上りリンクデータのペイロードサイズ（ビット数）である。Ｇは上りリンクデータの符号化ビット数である。データ符号化部１０７１ａは、複数の上りリンクデータのそれぞれを符号化する。
【００７４】
ＨＡＲＱ−ＡＣＫ連結部１０７１ｂは、上位層１０１から入力された１つ、または、複数のサービングセルにおける、１つ、または、複数のサブフレームにおけるＰＤＳＣＨ送
信に対するＨＡＲＱ−ＡＣＫビットを連結し、連結されたＨＡＲＱ−ＡＣＫビット（ＨＡＲＱ−ＡＣＫビットのシーケンス）［ｏ0ｏ1…ｏO-1］をＨＡＲＱ−ＡＣＫ符号化部１０７１ｃへ出力する。Ｏは、上位層１０１から入力されるＨＡＲＱ−ＡＣＫビットの数を示す。つまり、ある１つのサブフレームにおける１つのＰＵＳＣＨ、または、１つのＰＵＣＣＨで送信されるＨＡＲＱ−ＡＣＫビットの数を示す。
【００７５】
ＨＡＲＱ−ＡＣＫ符号化部１０７１ｃは、連結されたＨＡＲＱ−ＡＣＫビット［ｏ0ｏ1…ｏO-1］を符号化する。ＨＡＲＱ−ＡＣＫがＰＵＳＣＨを用いて送信される場合、ＨＡＲＱ−ＡＣＫ符号化部１０７１ｃは、ＨＡＲＱ−ＡＣＫの符号化ビットｑiをインタリーブ部１０７１ｄへ出力する。ＨＡＲＱ−ＡＣＫがＰＵＣＣＨを用いて送信される場合、ＨＡＲＱ−ＡＣＫ符号化部１０７１ｃは、ＨＡＲＱ−ＡＣＫの符号化ビットｑiをＰＵＣＣＨ生成部１０７５へ出力する。
【００７６】
インタリーブ部１０７１ｇは、上りリンクデータｆiの符号化ビットと、ＨＡＲＱ−ＡＣＫの符号化ビットｑiを連結およびインタリーブし、連結された符号化ビットｈiをＰＵＳＣＨ生成部１０７３へ出力する。図６は、本実施形態における符号化変調シンボルのインタリーブの方法の一例を示す図である。符号化変調シンボルは、符号化ビットのグループである。１つの符号化シンボルが変調されることによって１つの変調シンボルが生成される。１つの符号化変調シンボルは、上りリンクデータに対する変調方式の変調次数Ｑｍと同じ数の符号化ビットを含む。
【００７７】
図６において、サブフレーム内のＳＣ−ＦＤＭＡシンボルシンボルの数と同じ数の列がある。ただし、４列目と１１列目は上りリンク参照信号（ＤＭＲＳ）のための領域なので、符号化変調シンボルは配置されない。図６において、上りリンクグラントによって割り当てを示されたＰＵＳＣＨのサブキャリアの数と同じ数の行がある。
【００７８】
ＰＵＳＣＨ信号生成部１０７３において、図６の同一の列に配置される符号化変調シンボルに対応する複数の変調シンボルは、ともに離散フーリエ変換（Discrete Fourier Transform: DFT）され、ＤＦＴされた信号は上りリンクグラントによって無線リソースの割り当てを示されたＰＵＳＣＨのリソースエレメントに配置される。ｉ列目の符号化シンボルから生成されたＤＦＴされた信号はサブフレーム内のｉ番目のＳＣ−ＦＤＭＡシンボルに対応するリソースエレメントに配置される。
【００７９】
インタリーブ部１０７１ｇは、上りリンクデータの符号化変調シンボルｆiとＨＡＲＱ−ＡＣＫの符号化変調シンボルｑiを、図６のように連結およびインタリーブする。ＨＡＲＱ−ＡＣＫの符号化変調シンボルは、３番目と５番目と１０番目と１２番目の列に配置される。
【００８０】
図７は、本実施形態におけるＨＡＲＱ−ＡＣＫの符号化処理の決定方法の一例を示すフロー図である。
【００８１】
ステップ７００において、端末装置１は、１つのＰＵＳＣＨで送信されるＨＡＲＱ−ＡＣＫビットの数Ｏを確認する。ＨＡＲＱ−ＡＣＫビットの数Ｏが１である場合、端末装置１は当該ＨＡＲＱ−ＡＣＫに対して符号化処理７０１を適用する。ＨＡＲＱ−ＡＣＫビットの数Ｏが２である場合、端末装置１は当該ＨＡＲＱ−ＡＣＫに対して符号化処理７０２を適用する。ＨＡＲＱ−ＡＣＫビットの数Ｏが２より大きく、１２より小さい場合、端末装置１は当該ＨＡＲＱ−ＡＣＫに対して符号化処理７０３を適用する。ＨＡＲＱ−ＡＣＫビットの数Ｏが１１より大きく、２３より小さい場合、端末装置１は当該ＨＡＲＱ−ＡＣＫに対して符号化処理７０４を適用する。ＨＡＲＱ−ＡＣＫビットの数Ｏが２２より大きい場合、端末装置１は当該ＨＡＲＱ−ＡＣＫに対して符号化処理７０５を適用する。
【００８２】
符号化処理７０１において、１ビットのＨＡＲＱ−ＡＣＫ［ｏ０］は、図８に基づいて符号化される。符号化処理７０２において、２ビットのＨＡＲＱ−ＡＣＫ［ｏ０ ｏ１］は、図９に基づいて符号化される。ここで、ｘは、ＨＡＲＱ−ＡＣＫビットをスクランブルするためのプレースホールダビットである。プレースホールダビットの値は１であり、スクランブル系列によってスクランブルされない。ここで、ｙは、ＨＡＲＱ−ＡＣＫビットをスクランブルするための繰り返しプレースホールダビットである。繰り返しプレースホールダビットは、直前のビットの値と同じ値に変換される。ここで、直前のビットは、スクランブルされた後のビットである。ここで、ｏ２は、数式（１）によって与えられる。ここで、Ｘ  ｍｏｄ  Ｙは、ＸをＹで割った場合の余りを返す関数である。
【００８３】
【数１】
2019106562.tif 000003
【００８４】
符号化処理７０３において、ＨＡＲＱ−ＡＣＫ［ｏ0 ｏ1…ｏO-1］は、ブロック符号を用いて符号化される。当該ブロック符号のコードワードは、１１のベースシーケンスＭｉ，ｎの線型結合（linear combination）である。図１０は、本実施形態におけるベースシーケンスＭｉ，ｎの一例を示す図である。符号化処理７０３において、ＨＡＲＱ−ＡＣＫの符号化ビットｑｉは、数式（２）に基づいて与えられる。
【００８５】
【数２】
2019106562.tif 000004
【００８６】
符号化処理７０４において、ＨＡＲＱ−ＡＣＫ［ｏ0 ｏ1…ｏO-1］は、第１の系列［ｏ0 ｏ1…ｏｃｅｉｌ（Ｏ／２）-1］、および、第２の系列［ｏｃｅｉｌ（Ｏ／２）ｏｃｅｉｌ（Ｏ／２）+１…ｏO-1］に分割される。ｃｅｉｌ（）は、入力された値より大きい、最も小さな整数を返す関数である。当該第１の系列は、数式（３）によって符号化される。当該第２の系列は、数式（４）によって符号化される。符号化処理７０４において、ＨＡＲＱ−ＡＣＫの符号化ビットｑｉは、第１の系列の符号化ビットｑ’ｉ、および、第２の系列の符号化ビットｑ’’ｉの連結、および、巡回繰り返し（circular repetition）によって得られる。
【００８７】
【数３】
2019106562.tif 000005
【００８８】
【数４】
2019106562.tif 000006
【００８９】
符号化処理７０５において、ＨＡＲＱ−ＡＣＫ［ｏ0 ｏ1…ｏO-1］にＬビットのＣＲＣパリティビットが付加される。ここで、Ｌは８でもよい。当該ＣＲＣパリティビットは、ＨＡＲＱ−ＡＣＫ［ｏ0 ｏ1…ｏO-1］から計算される。符号化処理７０５において、ＨＡＲＱ−ＡＣＫの符号化ビットｑｉは、ＨＡＲＱ−ＡＣＫ［ｏ0 ｏ1…ｏO-1］にＣＲＣパリティビットを付加することによって得られた系列にＴＢＣＣ（Tail Biting Convolutional Coding）を適用することによって得られる。
【００９０】
端末装置１は、レイヤ毎のＨＡＲＱ−ＡＣＫの符号化変調シンボルの数Ｑ’を決定する。端末装置１は、符号化処理７０１から７０５において、ＨＡＲＱ−ＡＣＫの符号化ビットｑｉの数Ｑになるように調整（レートマッチング）する。ＨＡＲＱ−ＡＣＫの符号化ビットｑｉの数Ｑは、レイヤ毎の符号化変調シンボルの数Ｑ’、および、レイヤ（トランスポートブロック）毎の変調次数Ｑｍの積である。
【００９１】
ＰＵＳＣＨにおいてＨＡＲＱ−ＡＣＫがトランスポートブロックと多重される場合、ＨＡＲＱ−ＡＣＫは当該ＰＵＳＣＨの全てのトランスポートブロックの全てのレイヤにおいて多重される。
【００９２】
ＨＡＲＱ−ＡＣＫビットを伝送するＰＵＳＣＨを用いて１つのトランスポートブロックが送信される場合、当該ＨＡＲＱ−ＡＣＫに対するＱ’は、数式（５）によって与えられる。
【００９３】
【数５】
2019106562.tif 000007
【００９４】
ＨＡＲＱ−ＡＣＫビットを伝送するＰＵＳＣＨを用いて２つのトランスポートブロックが送信される場合、当該ＨＡＲＱ−ＡＣＫに対するＱ’は、数式（６）によって与えられる。
【００９５】
【数６】
2019106562.tif 000008
【００９６】
ｍａｘ（）は、入力された複数の値の中から、最も大きい値を返す関数である。ｍｉｎ（）は、入力された複数の値の中から、最も小さい値を返す関数である。ｍａｘ（）をｍａｘ関数とも称する。ｍｉｎ（）をｍｉｎ関数とも称する。数式（６）のＱ’ｔｅｍｐは、数式（７）によって与えられる。
【００９７】
【数７】
2019106562.tif 000009
【００９８】
数式（６）のＱ’ｍｉｎは、少なくとも、ＨＡＲＱ−ＡＣＫビットの数Ｏに基づいて与えられる。図１１は、本実施形態におけるＱ’ｍｉｎの決定処理の決定方法の一例を示すフロー図である。
【００９９】
ステップ１１００において、端末装置１は、１つのＰＵＳＣＨで送信されるＨＡＲＱ−ＡＣＫビットの数Ｏを確認する。ＨＡＲＱ−ＡＣＫビットの数Ｏが３より小さい場合、端末装置１はＱ’ｍｉｎに対して決定処理１１０１を適用する。ＨＡＲＱ−ＡＣＫビットの数Ｏが２より大きく、１２より小さい場合、端末装置１はＱ’ｍｉｎに対して決定処理１１０２を適用する。ＨＡＲＱ−ＡＣＫビットの数Ｏが１１より大きく、２３より小さい場合、端末装置１はＱ’ｍｉｎに対して決定処理１１０３を適用する。ＨＡＲＱ−ＡＣＫビットの数Ｏが２２より大きい場合、端末装置１はＱ’ｍｉｎに対して決定処理１１０４を適用する。
【０１００】
決定処理１１０１において、端末装置１は、数式（８）に応じてＱ’ｍｉｎを決定してもよい。
【０１０１】
【数８】
2019106562.tif 000010
【０１０２】
決定処理１１０２、および、決定処理１１０４において、端末装置１は、数式（９）、または、数式（１０）に応じてＱ’ｍｉｎを決定してもよい。決定処理１１０２において数式（９）に応じてＱ’ｍｉｎが決定されてもよく、決定処理１１０４において数式（１０）に応じてＱ’ｍｉｎが決定されてもよい。
【０１０３】
【数９】
2019106562.tif 000011
【０１０４】
【数１０】
2019106562.tif 000012
【０１０５】
決定処理１１０３において、端末装置１は、数式（１１）に応じてＱ’ｍｉｎを決定してもよい。
【０１０６】
【数１１】
2019106562.tif 000013
【０１０７】
Ｑ’ｍは数式（１２）によって与えられる。Ｏ１は数式（１３）によって与えられる。
Ｏ２は数式（１４）によって与えられる。
【０１０８】
【数１２】
2019106562.tif 000014
【０１０９】
【数１３】
2019106562.tif 000015
【０１１０】
【数１４】
2019106562.tif 000016
【０１１１】
これにより、ＨＡＲＱ−ＡＣＫの符号化ビットｑｉの数Ｑは、効率的に制御される。
【０１１２】
例えば、ＰＵＳＣＨ送信のためのスケジュールされた帯域幅が１２サブキャリアである場合、ＨＡＲＱ−ＡＣＫのために利用可能な符号化変調シンボルの数は４８である。一方、数式（９）または数式（１４）において、Ｑ’ｍが２であり、Ｏが１００である場合、Ｑ’ｍｉｎは１００または１０８である。すなわち、レイヤ毎の符号化変調シンボルの数Ｑ’がＨＡＲＱ−ＡＣＫのために利用可能な符号化変調シンボルの数を超えてしまうことがある。そこで、決定処理１１０３において、端末装置１は、数式（１５）、または、数式（１６）に応じてＱ’ｍｉｎを決定してもよい。
【０１１３】
【数１５】
2019106562.tif 000017
【０１１４】
【数１６】
2019106562.tif 000018
【０１１５】
または、端末装置１は、数式（６）の代わりに、数式（１７）に応じてＱ’を決定してもよい。数式（６）と数式（７）を比較すると、ｍｉｎ関数とｍａｘ関数を適用する順番が異なる。数式（６）ではＱ’ｔｅｍｐおよび４・ＭＰＵＳＣＨｓｃが入力されるｍｉｎ関数の出力、および、Ｑ’ｍｉｎがｍａｘ関数に入力される。一方、数式（１７）ではＱ’ｔｅｍｐ、および、Ｑ’ｍｉｎが入力されるｍａｘ関数の出力、および、４・ＭＰＵＳＣＨｓｃがｍｉｎ関数に入力される。
【０１１６】
【数１７】
2019106562.tif 000019
【０１１７】
これにより、レイヤ毎の符号化変調シンボルの数Ｑ’はＨＡＲＱ−ＡＣＫのために利用可能な符号化変調シンボルの数を超えなくなる。
【０１１８】
以下、本実施形態における、端末装置１および基地局装置３の種々の態様について説明する。
【０１１９】
（１）本実施形態の第１の態様は、端末装置１であって、トランスポートブロックを含むＰＵＳＣＨを用いてＨＡＲＱ−ＡＣＫを送信する送信部１０７と、前記ＨＡＲＱ−ＡＣＫを符号化する符号化部１０７１と、を備え、前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、前記ｍａｘ関数は、入力される複数の値の中から、最も大きい値を出力する関数であり、前記ｍｉｎ関数は、入力される複数の値の中から、最も小さい値を出力する関数である。
【０１２０】
（２）本実施形態の第２の態様は、基地局装置３であって、トランスポートブロックを含むＰＵＳＣＨを用いてＨＡＲＱ−ＡＣＫを受信する受信部３０５と、前記ＨＡＲＱ−ＡＣＫを復号する復号部３０５３と、を備え、前記ＨＡＲＱ−ＡＣＫの符号化変調シンボルの数Ｑ’は、（ｉ）Ｑ’ｔｅｍｐおよびＱ’ｍｉｎが入力されるｍａｘ関数の出力、および、（ｉｉ）４・ＭＰＵＳＣＨｓｃが入力されるｍｉｎ関数の出力であり、前記ＭＰＵＳＣＨｓｃは、前記トランスポートブロックのためのサブフレームにおける前記ＰＵＳＣＨの送信のためにスケジュールされた帯域幅であり、サブキャリアの数によって表現され、前記ｍａｘ関数は、入力される複数の値の中から、最も大きい値を出力する関数であり、前記ｍｉｎ関数は、入力される複数の値の中から、最も小さい値を出力する関数である。
【０１２１】
これにより、端末装置は効率的にＨＡＲＱ−ＡＣＫを送信することができる。また、基地局装置は効率的にＨＡＲＱ−ＡＣＫを受信することができる。
【０１２２】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１２３】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１２４】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１２５】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１２６】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１２７】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１２８】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１２９】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１３０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１３１】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング部
１０１５  送信電力制御部
３０１１  無線リソース制御部
３０１３  スケジューリング部
３０１５  送信電力制御部
【図１】
2019106562.tif 000020
【図２】
2019106562.tif 000021
【図３】
2019106562.tif 000022
【図４】
2019106562.tif 000023
【図５】
2019106562.tif 000024
【図６】
2019106562.tif 000025
【図７】
2019106562.tif 000026
【図８】
2019106562.tif 000027
【図９】
2019106562.tif 000028
【図１０】
2019106562.tif 000029
【図１１】
2019106562.tif 000030